(57)【特許請求の範囲】
【請求項１】
留守番メッセージとして記憶された発呼者の音声メッセージを読み出して認識処理を行うことによりテキストデータに変換し保存するとともに、前記読み出した発呼者の音声メッセージの中から所定の特徴を検出するための処理を行い、前記変換されたテキストデータを表示部に表示する際に、前記変換されたテキストデータの中で前記所定の特徴が検出されたメッセージ文字を、他の表示文字と識別可能な強調文字に変更して表示し、所定件数の留守番メッセージが記憶されている場合に前記記憶されている留守番メッセージのうち前記表示部に表示され、前記変換されたテキストデータが保存された留守番メッセージを消去することを特徴とする留守番設定機能を有する携帯通信端末における留守番メッセージ表示方法。
【請求項２】
前記読み出した発呼者の音声メッセージから所定の特徴を検出するための処理は、留守番メッセージとして記憶された発呼者の音声メッセージの中で、音量が所定値よりも大きいメッセージを検出する処理、発声速度が所定値よりも大きいメッセージを検出する処理、音声周波数が所定値よりも高いメッセージを検出する処理の中の少なくとも１つの処理を含むことを特徴とする請求項１に記載の留守番設定機能を有する携帯通信端末における留守番メッセージ表示方法。
【請求項３】
発呼者ＩＤ毎に前記テキストデータの表示を変更するために予め設定したデータ表示変更情報を記憶しておき、前記留守番メッセージのＩＤ情報が前記記憶された発呼者ＩＤと一致している場合には、前記発呼者ＩＤに設定されている前記データ表示変更情報を抽出し、該抽出したデータ表示変更情報を加味して、前記変換したテキストデータの表示を変更することを特徴とする請求項１または２に記載の留守番設定機能を有する携帯通信端末における留守番メッセージ表示方法。
【請求項４】
前記データ表示変更情報は、前記強調文字の色、サイズ、点滅、テロップ、スイング、ライン挿入、および画像挿入、背景色変更の内の少なくとも１つの情報を含んでいることを特徴とする請求項３に記載の留守番設定機能を有する携帯通信端末における留守番メッセージ表示方法。
【請求項５】
発呼者のプロフィール情報を当該発呼者ＩＤと対応して設定するとともに、該プロフィール情報毎に前記テキストデータの表示を変更するために予め設定したデータ表示変更情報を記憶しておき、前記留守番メッセージのＩＤ情報が前記記憶された発呼者ＩＤと一致している場合には、前記発呼者ＩＤのプロフィール情報から前記データ表示変更情報を抽出し、該抽出したデータ表示変更情報を加味して、前記変換したテキストデータの表示を変更することを特徴とする請求項１または２に記載の留守番設定機能を有する携帯通信端末における留守番メッセージ表示方法。
【請求項６】
前記発呼者ＩＤと対応して設定するプロフィール情報は、性別、年齢、友人、知人の内の少なくとも１つの情報を含んでおり、前記データ表示変更情報は、前記強調文字の色、サイズ、点滅、テロップ、スイング、ライン挿入、および画像挿入、背景色変更の内の少なくとも１つの情報を含んでいることを特徴とする請求項５に記載の留守番設定機能を有する携帯通信端末における留守番メッセージ表示方法。
【請求項７】
留守番メッセージとして入力された発呼者の音声メッセージを記憶する記憶手段と、該記憶手段から読み出した前記発呼者の音声メッセージの認識処理を行ってテキストデータに変換し前記記憶手段に保存する音声認識手段と、前記記憶手段から読み出した前記発呼者の音声メッセージの中から所定の特徴を検出するための処理を行い、前記変換されたテキストデータを表示する際に、前記変換されたテキストデータの中で前記所定の特徴が検出されたメッセージ文字を、他の表示文字と識別可能な強調文字に変更する表示文字変更手段と、該表示文字変更手段で変更された強調文字を含む前記変換されたテキストデータを表示する表示手段を備え、前記記憶手段は所定件数以下の前記留守番メッセージを記憶可能に構成され、前記所定件数の留守番メッセージを記憶している場合に前記記憶されている留守番メッセージのうち前記表示手段に表示され、前記変換されたテキストデータが保存された留守番メッセージを消去する機能を有することを特徴とする留守番設定機能を有する携帯通信端末。
【請求項８】
前記表示文字変更手段は、前記記憶手段から読み出した前記発呼者の音声メッセージの中で、音量が所定値よりも大きいメッセージが検出されたとき、該検出されたメッセージ文字を、他の表示文字と識別可能な強調文字に変更する手段からなることを特徴とする請求項７に記載の留守番設定機能を有する携帯通信端末。
【請求項９】
前記表示文字変更手段は、前記記憶手段から読み出した前記発呼者の音声メッセージの中で、発声速度が所定値よりも大きいメッセージが検出されたとき、該検出されたメッセージ文字を、他の表示文字と識別可能な強調文字に変更する手段からなることを特徴とする請求項７に記載の留守番設定機能を有する携帯通信端末。
【請求項１０】
前記表示文字変更手段は、前記記憶手段から読み出した前記発呼者の音声メッセージの中で、音声周波数が所定値よりも高いメッセージが検出されたとき、該検出されたメッセージ文字を、他の表示文字と識別可能な強調文字に変更する手段からなることを特徴とする請求項７に記載の留守番設定機能を有する携帯通信端末。
【請求項１１】
発呼者ＩＤ毎に前記テキストデータの表示を変更するために予め設定したデータ表示変更情報を記憶したデータ表示変更情報記憶部を備え、前記表示文字変更手段は、前記留守番メッセージから前記発呼者ＩＤを検出したとき、前記データ表示変更情報記憶部を参照して前記検出した発呼者ＩＤに対応する前記データ表示変更情報を抽出し、該抽出したデータ表示変更情報を加味して、前記変換したテキストデータの表示文字を変更する機能を有していることを特徴とする請求項７〜１０のいずれか１項に記載の留守番設定機能を有する携帯通信端末。
【請求項１２】
前記データ表示変更情報記憶部には、前記発呼者ＩＤと対応して設定するデータ表示変更情報として、前記強調文字の色、サイズ、点滅、テロップ、スイング、ライン挿入、および画像挿入、背景色変更の内の少なくとも１つの情報が記憶されていることを特徴とする請求項１１に記載の留守番設定機能を有する携帯通信端末。
【請求項１３】
発呼者のプロフィール情報を当該発呼者ＩＤと対応して設定するとともに、該プロフィール情報毎に前記テキストデータの表示を変更するために予め設定したデータ表示変更情報を記憶したデータ表示変更情報記憶部を備え、前記表示文字変更手段は、前記留守番メッセージから前記発呼者ＩＤを検出したとき、前記データ表示変更情報記憶部を参照して前記検出した発呼者ＩＤに対応する前記プロフィール情報から前記データ表示変更情報を抽出し、該抽出したデータ表示変更情報を加味して、前記変換したテキストデータの表示文字を変更する機能を有していることを特徴とする請求項７〜１０のいずれか１項に記載の留守番設定機能を有する携帯通信端末。
【請求項１４】
前記データ表示変更情報記憶部には、前記発呼者ＩＤと対応して設定するプロフィール情報として、性別、年齢、友人、知人の内の少なくとも１つの情報が記憶されており、前記データ表示変更情報として、前記強調文字の色、サイズ、点滅、テロップ、スイング、ライン挿入、および画像挿入、背景色変更の内の少なくとも１つの情報が記憶されていることを特徴とする請求項１３に記載の留守番設定機能を有する携帯通信端末。
【請求項１５】
留守番設定機能を有する携帯通信端末に備えられたコンピュータを、留守番メッセージとして入力された発呼者の音声メッセージを記憶する記憶手段、該記憶手段から読み出した前記発呼者の音声メッセージの認識処理を行ってテキストデータに変換し前記記憶手段に保存する音声認識手段、前記記憶手段から読み出した前記発呼者の音声メッセージの中から所定の特徴を検出するための処理を行い、前記変換されたテキストデータを表示する際に、前記変換されたテキストデータの中で前記所定の特徴が検出されたメッセージ文字を、他の表示文字と識別可能な強調文字に変更する表示文字変更手段、該表示文字変更手段で変更された強調文字を含む前記変換されたテキストデータを表示する表示手段、および前記記憶手段に所定件数の留守番メッセージが記憶されている場合に前記記憶されている留守番メッセージのうち前記表示手段により表示され、前記変換されたテキストデータが保存された留守番メッセージを消去する手段として機能させるためのプログラム。
【請求項１６】
前記表示文字変更手段は、前記コンピュータを、前記記憶手段から読み出した前記発呼者の音声メッセージの中で、音量が所定値よりも大きいメッセージが検出されたとき、該検出されたメッセージ文字を、他の表示文字と識別可能な強調文字に変更する手段として機能させることを特徴とする請求項１５に記載のプログラム。
【請求項１７】
前記表示文字変更手段は、前記コンピュータを、前記記憶手段から読み出した前記発呼者の音声メッセージの中で、発声速度が所定値よりも大きいメッセージが検出されたとき、該検出されたメッセージ文字を、他の表示文字と識別可能な強調文字に変更する手段として機能させることを特徴とする請求項１５に記載のプログラム。
【請求項１８】
前記表示文字変更手段は、前記コンピュータを、前記記憶手段から読み出した前記発呼者の音声メッセージの中で、音声周波数が所定値よりも高いメッセージが検出されたとき、該検出されたメッセージ文字を、他の表示文字と識別可能な強調文字に変更する手段として機能させることを特徴とする請求項１５に記載のプログラム。
【請求項１９】
発呼者ＩＤ毎に前記テキストデータの表示を変更するために予め設定したデータ表示変更情報を記憶するデータ表示変更情報記憶手段として前記コンピュータを機能させるためのプログラムを含んでおり、前記表示文字変更手段は、前記コンピュータを、前記留守番メッセージから前記発呼者ＩＤを検出したとき、該発呼者ＩＤと対応して設定された前記データ表示変更情報を抽出し、該抽出したデータ表示変更情報を加味して、前記変換したテキストデータの表示文字を変更する手段として機能させることを特徴とする請求項１５〜１８のいずれか１項に記載のプログラム。
【請求項２０】
前記データ表示変更情報記憶手段は、前記コンピュータを、前記発呼者ＩＤと対応して設定するデータ表示変更情報として、前記強調文字の色、サイズ、点滅、テロップ、スイング、ライン挿入、および画像挿入、背景色変更の内の少なくとも１つの情報を記憶する手段として機能させることを特徴とする請求項１９に記載のプログラム。
【請求項２１】
発呼者のプロフィール情報を当該発呼者ＩＤと対応して設定するとともに、該プロフィール情報毎に前記テキストデータの表示を変更するために予め設定したデータ表示変更情報を記憶するデータ表示変更情報記憶手段として前記コンピュータを機能させるためのプログラムを含んでおり、前記表示文字変更手段は、前記コンピュータを、前記留守番メッセージから前記発呼者ＩＤを検出したとき、該発呼者ＩＤと対応して設定された前記プロフィール情報から前記データ表示変更情報を抽出し、該抽出したデータ表示変更情報を加味して、前記変換したテキストデータの表示文字を変更する手段として機能させることを特徴とする請求項１５〜１８のいずれか１項に記載のプログラム。
【請求項２２】
前記データ表示変更情報記憶手段は、前記コンピュータを、前記発呼者ＩＤと対応して設定するプロフィール情報として、性別、年齢、友人、知人の内の少なくとも１つの情報を記憶する手段と、前記データ表示変更情報として、前記強調文字の色、サイズ、点滅、テロップ、スイング、ライン挿入、および画像挿入、背景色変更の内の少なくとも１つの情報を記憶する手段として機能させることを特徴とする請求項２１に記載のプログラム。
【発明の詳細な説明】
【技術分野】
【０００１】
本発明は、留守番設定機能を有している携帯電話機等の携帯通信端末に関する。
【背景技術】
【０００２】
携帯電話機の使用者が会議中等により着信に応答できない状況のときに、携帯電話機に留守番モードを設定しておき、使用者に代わって発呼者または留守番電話サービス事業者に応答し、発呼者からの用件等を録音する機能を備えた携帯電話機に関する技術が特許文献１〜３等において提案されている。
【０００３】
これらの特許文献に記載の携帯電話機では、録音された発呼者からの音声メッセージは、音声により再生する構成となっているために、例えば会議中に、留守番モードを設定中の携帯電話機に着信があった場合、バイブレータ等により着信の確認は可能であるが、応答することはできないので発呼者からの音声メッセージをその場で確認することは困難である。
【０００４】
一方特許文献４では、通信回線を介して到来した音声情報を録音する録音手段と、この録音手段で録音された音声情報を音声認識する音声認識手段と、この音声認識手段による音声認識の結果に対応する文字列をディスプレイ上に可視表示する表示手段とを備えることにより、録音された音声の音声品質が悪い場合にも、その内容を適確にユーザに認識させることができる留守番電話装置が提案されている。
【０００５】
【特許文献１】特開平１０−２６２１１６号公報
【特許文献２】特開平１０−３１３３６０号公報
【特許文献３】特開２００１−０８６５５８号公報
【特許文献４】特開平０５−３４７６５８号公報
【発明の開示】
【発明が解決しようとする課題】
【０００６】
上記特許文献４に記載の発呼者からの音声メッセージをディスプレイ上に文字で表示する技術を、携帯電話機における留守番モード設定時の着信に対する音声メッセージ表示手段として用いれば、着信に応答できない状況のために留守番モード設定中の携帯電話機に着信があった場合でも、発呼者からのメッセージを確認することが可能であるが、携帯電話機の小さなディスプレイ上に表示された文字を読んでその内容を確認する必要があるため、例えば会議中などの場合にその間会議への集中が疎かになる恐れもある。
【０００７】
本発明の目的は、留守応答録音機能により録音された発呼者からのメッセージを単に文字変換するだけでなく、利用者が留守番メッセージの内容を容易かつ速やかに認識可能にする手段を設けることにより、携帯通信端末における留守応答録音機能をより有効に利用できるようにすることにある。
【課題を解決するための手段】
【０００８】
本発明の留守番設定機能を有する携帯通信端末における留守番メッセージ表示方法は、留守番メッセージとして記憶された発呼者の音声メッセージを読み出して認識処理を行うことによりテキストデータに変換し保存するとともに、前記読み出した発呼者の音声メッセージの中から所定の特徴を検出するための処理を行い、前記変換されたテキストデータを表示部に表示する際に、前記変換されたテキストデータの中で前記所定の特徴が検出されたメッセージ文字を、他の表示文字と識別可能な強調文字に変更して表示し、所定件数の留守番メッセージが記憶されている場合に前記記憶されている留守番メッセージのうち前記表示部に表示され、前記変換されたテキストデータが保存された留守番メッセージを消去することを特徴とする。
【０００９】
また本発明の留守番設定機能を有する携帯通信端末は、留守番メッセージとして入力された発呼者の音声メッセージを記憶する記憶手段と、該記憶手段から読み出した前記発呼者の音声メッセージの認識処理を行ってテキストデータに変換し前記記憶手段に保存する音声認識手段と、前記記憶手段から読み出した前記発呼者の音声メッセージの中から所定の特徴を検出するための処理を行い、前記変換されたテキストデータを表示する際に、前記変換されたテキストデータの中で前記所定の特徴が検出されたメッセージ文字を、他の表示文字と識別可能な強調文字に変更する表示文字変更手段と、該表示文字変更手段で変更された強調文字を含む前記変換されたテキストデータを表示する表示手段を備え、前記記憶手段は所定件数以下の前記留守番メッセージを記憶可能に構成され、前記所定件数の留守番メッセージを記憶している場合に前記記憶されている留守番メッセージのうち前記表示手段に表示され、前記変換されたテキストデータが保存された留守番メッセージを消去する機能を有することを特徴とする。
【００１０】
また本発明のプログラムは、留守番設定機能を有する携帯通信端末に備えられたコンピュータを、留守番メッセージとして入力された発呼者の音声メッセージを記憶する記憶手段、該記憶手段から読み出した前記発呼者の音声メッセージの認識処理を行ってテキストデータに変換し前記記憶手段に保存する音声認識手段、前記記憶手段から読み出した前記発呼者の音声メッセージの中から所定の特徴を検出するための処理を行い、前記変換されたテキストデータを表示する際に、前記変換されたテキストデータの中で前記所定の特徴が検出されたメッセージ文字を、他の表示文字と識別可能な強調文字に変更する表示文字変更手段、該表示文字変更手段で変更された強調文字を含む前記変換されたテキストデータを表示する表示手段、および前記記憶手段に所定件数の留守番メッセージが記憶されている場合に前記記憶されている留守番メッセージのうち前記表示手段により表示され、前記変換されたテキストデータが保存された留守番メッセージを消去する手段として機能させることを特徴とする。
【発明の効果】
【００１１】
本発明の携帯通信端末によれば、留守番メッセージは単に文字変換されるだけでなく、発呼者の入力音声（特徴）に基づいて当該メッセージ文字の強調、あるいは情報付加することにより表示文字の変更を行っているので、表示されたメッセージ内容がより的確に表現され、利用者の認識を容易にすることができる。
【発明を実施するための最良の形態】
【００１２】
図１は、本発明が適用される携帯通信端末の実施形態を示すブロック図である。
【００１３】
本実施形態の携帯通信端末１００は、プログラム制御により動作し、図示しない携帯電話基地局を介する通信ネットワークとの接続が可能な携帯電話機、ＰＤＡ等の情報処理装置として構成されている。以下、携帯通信端末１００が携帯電話機である場合を例に、詳細に説明する。
【００１４】
携帯通信端末１００は、無線通信部１０１と、表示部１０２と、操作部１０３と、音声処理部１０４と、カメラ１０７と、スピーカ１０８、メモリ１０９と、制御部１１０を備えている。無線通信部１０１は、アンテナ１１１を介して無線基地局との間で無線信号を送受する機能を有している。
【００１５】
表示部１０２は、文字、画像、記号等の各種情報の表示出力を行なう機能を有している。操作部１０３は、各種情報操作入力、文字入力を行なう機能を有している。例えば、テンキー、スクロール／決定キー等で構成される。
【００１６】
音声処理部１０４は、マイク１０５及びスピーカ（受話用）１０６を介する音声信号の処理を行なう機能を有している。カメラ１０７は、画像情報を取得する機能を有している。スピーカ（報知用）１０８は、楽音・報知音等を出力する機能を有している。
【００１７】
メモリ１０９は、電話帳情報、送受信メール情報、発着呼情報、画像情報、楽音情報、コンテンツ、アプリケーションプログラム情報、留守番メッセージ、携帯電話端末の各種設定等を格納する記憶領域である。制御部１１０は、メモリ１０９に格納された制御プログラムに従って、電話機能、メール機能、Ｗｅｂ接続機能、カメラ機能、音声認識機能等、携帯通信端末各部の制御を行なうコンピュータとしての機能を有している。
【００１８】
また、制御部１１０の音声認識機能は、相手先から留守番メッセージとしてメモリ１０９に格納された音声を解析し、その音声に対応する文字情報（テキスト）を決定する。更にこの際に、留守番メッセージとして格納された情報の音量（予め格納する所定の基準音量値との大小比較）、周波数（音声の高低）、入力音声速度（予め格納する所定の基準速度値との比較）により、文字フォント、大きさ、色、記号や画像の付加等を決定する。このように制御部１１０は、本発明における音声認識手段、および表示文字変更手段としての機能を備えている。
【００１９】
例えば、留守番メッセージが女性（高周波数）により入力された場合は、それを強調して識別するための丸文字のフォントで出力し、音量や入力速度が大きい場合は該当するメッセージ文字を強調（太字）文字で出力する。また、文字フォント、大きさ、色、記号や画像の付加等は、発呼者ＩＤ（電話番号等）を参照することで、より的確な情報付加を行うことができる。
【００２０】
そのため、メモリ１０９には、音声メッセージの音量（所定の音量値より大きいか小さいか）、周波数（所定の音声より高いか低いか）、入力音声速度（所定の速度値より高いか低いか）と、表示する強調文字との対応関係を示すテーブル、および発呼者のプロフィール情報（性別、年齢、友人/知人等の情報）を当該発呼者ＩＤと対応して設定するとともに、該プロフィール情報毎に前記テキストデータの表示を変更するために予め設定したデータ表示変更情報を記憶したテーブルが備えられており、制御部１１０はこれらのテーブルを参照することにより、表示部１０２に表示される留守番メッセージの表示文字を変更する制御を行う。
【００２１】
図２は、本実施形態における留守番メッセージの表示文字の設定動作を示すフローチャートであり、図３〜図４は、表示部に表示された留守番メッセージの表示例を示している。以下、本実施形態の動作について、図１〜図４を参照して説明する。
【００２２】
留守番メッセージとして録音され、メモリ１０９に格納された音声データの文字変換指示（表示情報への変換指示）が操作部１０３を介して入力されると（Ｓ１）、制御部１１０は、音声認識機能（音声テキスト変換エンジン）により、当該音声データをテキストデータに変換する（Ｓ２）。
【００２３】
次に、入力された音声データの音量、周波数、音声速度を解析し（Ｓ３）、また発呼者ＩＤに対するプロフィール情報（性別、年齢、友人/知人等の情報）が予めメモリ１０９に格納されているか否かを調べる（Ｓ４）。
【００２４】
当該留守番メッセージの発呼者ＩＤに対するプロフィール情報がメモリ１０９に格納されていない場合（Ｓ４，Ｎｏ）は、Ｓ３で解析した結果に基づいて変換されたテキストデータの表示文字を変更して表示する（Ｓ７）。図３は、このときの表示部に表示された留守番メッセージの表示例を示している。なお図３では、所定の音量値より大きい音声データの部分を他の表示文字と識別可能にするために、太字による強調文字に変更して表示した例を示している。
【００２５】
当該留守番メッセージの発呼者ＩＤに対するプロフィール情報がメモリ１０９に格納されている場合（Ｓ４，Ｙｅｓ）は、当該発呼者ＩＤに対するプロフィール情報を参照し（Ｓ５）、該プロフィール情報に対応するデータ表示変更情報を参照することにより、該データ表示変更情報を更に加味した表示文字等の変更を行って表示する（Ｓ６）。
【００２６】
図４は、このときの表示部に表示された留守番メッセージの表示例を示している。なお図４では、所定の音量値より大きい音声データの部分を太字に変更して表示するとともに、太字による強調文字に変更された最初の行をテロップ表示とし、更に画像や記号（絵文字等）を追加した例を示している。
【００２７】
本実施形態によれば、留守番メッセージが単に文字変換されて表示されるだけでなく、発呼者の入力音声（特徴）に基づいて当該メッセージ文字の要点部分の文字が強調されて表示されるので、発呼者からのメッセージを容易且つ速やかに理解することが可能となる。
【００２８】
また、発呼者ＩＤとデータ表示変更情報を間接的に関連付けて登録しているので、表示されたメッセージ内容から発呼者が誰であるかを推定することが可能となる。
【００２９】
上記実施形態では、データ表示変更情報を、発呼者のプロフィール情報（性別、年齢、友人/知人等の情報）を当該発呼者ＩＤと対応して設定するとともに、該プロフィール情報毎に前記テキストデータの表示を変更するために用いたが、データ表示変更情報を発呼者ＩＤと直接対応させて設定することも可能である。
【００３０】
その場合には、表示部に表示された留守番メッセージの表示パターンを見れば、発呼者が誰であるかを容易に認識することが可能となる。
【００３１】
なお上記実施形態では、留守番メッセージとして録音され、メモリ１０９に格納された音声の文字変換指示（表示情報への変換指示）は、利用者による操作部１０３入力によって行っているが、利用者による操作部１０３入力によらず、自動で変換するようにしてもよい。この場合、留守番メッセージの一覧としての表示させる際に、当該メッセージの内容（強調部分）を表示することで、メッセージの重要性をすばやく利用者に伝達することもできる。
【００３２】
図５は、本実施形態における携帯通信端末の記憶部への留守番メッセージ録音動作を示すフローチャートである。
【００３３】
通常、携帯通信端末の記憶部へ録音可能な留守番メッセージの件数には限りがあり、例えば５件の録音が可能な場合、既に５件の留守番メッセージが登録済みの場合には、新たな音声メッセージを受け付けることができないが、本実施形態では、表示出力されたメッセージがある（表示出力され、更に当該表示メッセージが保存された）場合には、該表示出力された留守番メッセージは自動消去し、新たな留守番メッセージを録音可能にする。以下、図５を参照してその動作について説明する。
【００３４】
留守番モードが設定されているときに着信があると（Ｓ１１、Ｙｅｓ）、応答時間経過後（Ｓ１２、Ｙｅｓ）にメッセージ録音動作に移行するが、その際、既に録音されているメッセージ数が一杯であるか否か判定し（Ｓ１３）、まだ余裕がある場合（Ｓ１３、Ｎｏ）は、そのままメッセージ録音動作を開始する（Ｓ１４）。
【００３５】
既に録音されているメッセージ数が一杯である場合（Ｓ１３、Ｙｅｓ）には、録音されているメッセージの中に表示出力されたメッセージがあるか否かを判定し（Ｓ１５）、表示出力されたメッセージがある場合（Ｓ１５、Ｙｅｓ）には、該表示出力されたメッセージを消去（Ｓ１７）して、新たに着信した留守番メッセージを録音する（Ｓ１８）。表示出力されたメッセージがない場合（Ｓ１５、Ｎｏ）には、発呼者に現在応答できない旨を通知して、呼を切断する。
【図面の簡単な説明】
【００３６】
【図１】本発明が適用される携帯通信端末の実施形態を示すブロック図である。
【図２】本実施形態における留守番メッセージの表示文字の設定動作を示すフローチャートである。
【図３】本実施形態の携帯通信端末の表示部に表示された留守番メッセージの表示例を示す図である。
【図４】本実施形態の携帯通信端末の表示部に表示された留守番メッセージの他の表示例を示す図である。
【図５】本実施形態における携帯通信端末の記憶部への留守番メッセージ録音動作を示すフローチャートである。
【符号の説明】
【００３７】
１００  携帯通信端末
１０１  無線通信部
１０２  表示部
１０３  操作部
１０４  音声処理部
１０５  マイク
１０６  受話スピーカ
１０７  カメラ
１０８  スピーカ
１０９  メモリ
１１０  制御部
１１１  アンテナ
【図１】
0005233287.tif 000002
【図２】
0005233287.tif 000003
【図３】
0005233287.tif 000004
【図４】
0005233287.tif 000005
【図５】
0005233287.tif 000006